(57)【要約】【課題】被記録媒体に筆記された筆記データの電子データを、管理側で所定のデータに対応付ける処理又は筆記データが消された場合の消去処理を含む情報管理処理を容易に行う。【解決手段】情報管理システムであって、筆記装置は、被記録媒体に形成された、各々異なるパターンを複数含む所定のパターン上に、筆記データを筆記可能とする筆記手段と、所定の筆記データを読み取る第１の読取手段と、筆記データが筆記された所定のパターンのうち少なくとも１つのパターンを読み取る第２の読取手段と、第１の読取手段により読み取られた第１のデータ及び第２の読取手段により読み取られた第２のデータを情報処理装置に送信する送信手段と、を備え、情報処理装置は、第１のデータ及び第２のデータを筆記装置から受信する受信手段と、受信された第１のデータと、第２のデータとを関連付けて管理する管理手段と、を備える。【選択図】図６
2014102689.tif 000002
【特許請求の範囲】
【請求項１】
少なくとも筆記装置と情報処理装置とがネットワークを介して接続される情報管理システムであって、
前記筆記装置は、
被記録媒体に形成された、各々異なるパターンを複数含む所定のパターン上に、筆記データを筆記可能とする筆記手段と、
前記筆記手段により筆記された所定の筆記データを読み取る第１の読取手段と、
前記筆記データが筆記された所定のパターンのうち少なくとも１つのパターンを読み取る第２の読取手段と、
前記第１の読取手段により読み取られた第１のデータ及び前記第２の読取手段により読み取られた第２のデータを前記情報処理装置に送信する送信手段と、
を備え、
前記情報処理装置は、
前記第１のデータ及び前記第２のデータを前記筆記装置から受信する受信手段と、
受信された前記第１のデータと、前記第２のデータとを関連付けて管理する管理手段と、
を備える情報管理システム。
【請求項２】
前記管理手段は、
複数に分割された所定のパターンのそれぞれに、前記被記録媒体に含まれる記憶媒体の識別情報を関連付けておき、前記第２のデータが前記所定のパターンの分割単位のいずれに含まれるかを判定する請求項１記載の情報管理システム。
【請求項３】
前記情報管理システムは、
ユーザ名とメールアドレスとを関連付けたアドレス情報を記憶する記憶手段と、
ユーザ名を含む画像データに対して文字認識処理を行い、該画像データの文字データを生成する文字認識手段と、
前記画像データが前記第２のデータに関連付けて記憶されたとき、前記文字認識手段により認識された文字データと、前記アドレス情報のユーザ名とを照合し、一致するユーザ名がある場合、該ユーザ名のメールアドレスを宛先として、メールを作成するメール作成手段と、をさらに備え、
前記情報処理装置は、
前記メール作成手段により作成されたメールを送信する通信手段をさらに備える請求項１又は２記載の情報管理システム。
【請求項４】
前記第１の読取手段は、
少なくとも前記筆記手段を含むペンから筆記時に発生される信号又は光を受信し、受信された信号又は光の変化に基づいて、前記所定の筆記データを表す電子データを生成する請求項１乃至３いずれか一項に記載の情報管理システム。
【請求項５】
前記管理手段は、
１つの前記第２のデータに対応する第１のデータを複数回取得した場合、履歴識別情報を前記第１のデータそれぞれに関連付けて、該第１のデータの履歴を管理する請求項１乃至４いずれか一項に記載の情報管理システム。
【請求項６】
被記録媒体上に筆記された筆記データを消去する消去装置と、前記筆記データの電子データを管理する情報処理装置とがネットワークを介して接続される情報管理システムであって、
前記消去装置は、
被記録媒体に形成された、各々異なるパターンを複数含む所定のパターン上に筆記された筆記データを消す消去手段と、
前記消去手段により前記筆記データの消去が行われていることを検出する検出手段と、
前記消去手段により消されている筆記データが筆記されていた所定のパターンのうち少なくとも１つのパターンを読み取る読取手段と、
前記検出手段により前記筆記データの消去が検出された場合、前記読取手段が取得したパターンを示すデータと、消去を示すデータとを前記情報処理装置に送信する送信手段と、
を備え、
前記情報処理装置は、
複数の前記パターンを示すデータと、前記筆記データの電子データとを関連付けて管理する管理手段と、
前記消去装置から前記消去を示すデータが受信された場合、受信されたパターンを示すデータに対応する電子データを消去する消去手段と、
を備える情報管理システム。
【請求項７】
前記被記録媒体は、
耐水性を有する基質と、
前記基質の少なくとも一方の面に、水又は水性液により溶解又は膨潤する水溶性樹脂を含む中間層と、
前記基質側の面とは異なる前記中間層の面に、前記水又は水性液に対する通過性を有し、かつ、前記中間層の溶解又は膨潤により、崩壊又は前記中間層との接着状態が弛緩される受容層とを備え、
前記筆記データを認識可能な所定のパターンが、親水性を有する画像形成材料により、少なくとも前記受容層に形成可能である請求項１乃至６いずれか一項に記載の情報管理システム。
【請求項８】
前記所定のパターンは、所定間隔の格子状の上に配置された各ドットであり、各ドットは、格子状の交点から上下左右のいずれかの方向にずれている請求項７記載の情報管理システム。
【発明の詳細な説明】
【技術分野】
【０００１】
本発明は、再生可能な被記録媒体上に筆記された情報を消去する情報管理システムに関する。
【背景技術】
【０００２】
従来、コンピュータの高度化やネットワークの高速化に伴い、様々な書類の処理が電子化されている。一方で、ペンなどを使用して紙などへ筆記する方法は、キーボードやマウスを使ってコンピュータへ電子書類を入力する方法よりも安易であるという利点がある。
【０００３】
また、ペンなどで筆記した情報を電子化する技術がある。この技術は、例えば、被記録媒体に格子模様などのパターンを印刷し、ペン先に設けた光学装置を用いて該パターンを計測することで、このペンの動きを読み取ることができる。
【０００４】
特許文献１には、座標取得装置によって取得された紙文書の属性を参照して、情報が記入された紙文書に対応する電子文書へ反映する技術が開示されている。また、特許文献２には、情報表示媒体に対する加筆を電子化して編集する権限を特定可能にする技術が開示されている。
【０００５】
また、加筆する被記録媒体を再利用する技術もある。例えば、特許文献３には、リライタブルペーパーのクリーニングを行って再印字をする技術が開示されている。
【０００６】
ここで、電子化された書類と、電子化された筆記情報との関連付けが重要になってくる。例えば、特許文献４には、文書を特定する文書情報が磁気的に記録された磁気記録層と、筆記された情報が記録される熱可逆性記録層とを有する被記録媒体を用いて、筆記された情報の電子データと文書情報とを入力するデータ入力システムが開示されている。
【発明の概要】
【発明が解決しようとする課題】
【０００７】
従来技術では、筆記された情報と磁気記録層に記録された文書情報とをホストコンピュータで関連付けて、情報管理が行われていた。ここで、被記録媒体に筆記された筆記データの電子データを、管理側において、所定のデータに対応付ける処理又は筆記データが消された場合の消去処理を含む情報管理処理を容易に行いたいというニーズがある。
【０００８】
そこで、本発明は、被記録媒体に筆記された筆記データの電子データを、管理側で所定のデータに対応付ける処理又は筆記データが消された場合の消去処理を含む情報管理処理を容易に行うことを目的とする。
【課題を解決するための手段】
【０００９】
本発明の一態様における情報管理システムは、少なくとも筆記装置と情報処理装置とがネットワークを介して接続される情報管理システムであって、前記筆記装置は、被記録媒体に形成された、各々異なるパターンを複数含む所定のパターン上に、筆記データを筆記可能とする筆記手段と、前記筆記手段により筆記された所定の筆記データを読み取る第１の読取手段と、前記筆記データが筆記された所定のパターンのうち少なくとも１つのパターンを読み取る第２の読取手段と、前記第１の読取手段により読み取られた第１のデータ及び前記第２の読取手段により読み取られた第２のデータを前記情報処理装置に送信する送信手段と、を備え、前記情報処理装置は、前記第１のデータ及び前記第２のデータを前記筆記装置から受信する受信手段と、受信された前記第１のデータと、前記第２のデータとを関連付けて管理する管理手段と、を備える。
【発明の効果】
【００１０】
本発明によれば、被記録媒体に筆記された筆記データの電子データを、管理側で所定のデータに対応付ける処理又は筆記データが消された場合の消去処理を含む情報管理処理を容易に行うことができる。
【図面の簡単な説明】
【００１１】
【図１】実施の形態１における被記録媒体の一例を示す断面図。
【図２】実施の形態１における被記録媒体の一例を示す図。
【図３】実施の形態１におけるドットパターンの一例を示す図。
【図４】ドットパターンのずれを示す図。
【図５】図２の被記録媒体を用いて情報管理を行うシステムの一例を示す図。
【図６】データ入力システムにおける筆記装置の構成の一例を示すブロック図。
【図７】データ消去システムにおける消去装置の一例を示すブロック図。
【図８】実施の形態１における情報処理装置のハードウェアの一例を示すブロック図。
【図９】実施の形態１における情報処理装置の機能の一例を示すブロック図。
【図１０】所定のパターンに分割する例を説明する図。
【図１１】データ遷移例（その１）を示す図。
【図１２】データ遷移例（その２）を示す図。
【図１３】画像消去装置の構成の一例を示す図。
【図１４】再生コーティング装置の構成の一例を示す図。
【図１５】画像形成、データ消去、画像消去、再生の一連の動作の具体例を示す図。
【図１６】作業工程の一例を示す図。
【図１７】被記録媒体の準備処理の一例を示すフローチャート。
【図１８】筆記装置の処理の一例を示すフローチャート。
【図１９】消去装置の処理の一例を示すフローチャート。
【図２０】情報処理装置の情報管理処理（その１）の一例を示すフローチャート。
【図２１】情報処理装置の情報管理処理（その２）の一例を示すフローチャート。
【図２２】情報処理装置のメール処理の一例を示すフローチャート。
【図２３】実施の形態２における情報処理装置の管理手段が管理するデータの例を示す図。
【図２４】実施の形態２における情報処理層装置の情報管理処理の一例を示すフローチャート。
【図２５】実施の形態３におけるデータ入力の一例を示す図。
【図２６】実施の形態３における筆記装置の構成の一例を示すブロック図。
【図２７】実施の形態３における筆記装置の処理の一例を示すフローチャート。
【発明を実施するための形態】
【００１２】
以下、本発明の実施の形態を図面に基づいて説明する。
［実施の形態１］
実施の形態１では、種々の記録方式により、例えば、親水性を有する画像形成材料で形成された画像及び／又は所定のパターンを有する被記録媒体に対し、この画像形成材料の除去及び被記録媒体の再生に適用できる。
【００１３】
また、実施の形態１は、例えば、インクジェット記録方式による画像及び／又は所定のパターンを有する被記録媒体に対し、この画像形成材料の除去及び被記録媒体の再生に適している。よって、以下、記録方式として、インクジェット記録方式を例にして実施の形態１を説明する。まず、被記録媒体１の構成について説明する。
【００１４】
＜被記録媒体＞
図１は、実施の形態１における被記録媒体１の一例を示す断面図である。図１に示す被記録媒体１は、耐水性を有する基質（支持体）１０の一方の面上に中間層２０が設けられ、基質１０側の面とは異なる中間層２０の面上には画像形成材料４０のための受容層３０が設けられる。画像形成材料４０は、親水性を有する。
【００１５】
（基質）
実施の形態１における基質（支持体）１０は、後述する画像形成材料の除去液（以下、単に除去液ともいう）の供給により変質しない耐水性があるものが好ましい。また、基質１０は、記憶媒体５０を含む。記憶媒体５０は、例えば、ＲＦＩＤ（Radio Frequency IDentification）タグなどの無線ＩＣチップである。以下、記憶媒体５０は、ＲＦＩＤタグを例にして説明する。
【００１６】
基質１０にＲＦＩＤタグ５０が埋め込まれている場合、除去液の供給によっても、ＲＦＩＤタグ５０の性能が損なわれない基質１０が好ましい。
【００１７】
また、基質１０としては、高級印刷用紙、電子写真用記録用紙、及び感熱記録紙等を用いることができる。特に可逆性感熱記録紙は記録層がサーマルヘッドによる繰返し画像形成と画像消去に耐えられるように表面に硬化樹脂層を有するものが多く、このような可逆性感熱記録紙は、基質１０として好ましく用いることができる。
【００１８】
基質１０としては、透明支持体、不透明支持体のいずれも使用することができる。また、基質１０は、所望により下塗層等、その余の層を有していてもよい。
【００１９】
基質１０の厚さは、使途等によっても異なるが、３０μｍ〜１０００μｍであることが好ましく、６０μｍ〜８００μｍであることがより好ましい。厚さは使途やシートサイズ、材質等によっても異なる。例えば、基質１０にＲＦＩＤタグ５０を埋め込む場合は、通常６００μｍ〜８００μｍと比較的厚くなる。
【００２０】
なお、基質１０は、上記の通り、感熱記録媒体や熱転写記録媒体などを用いることもでき、この種の基質１０のうち典型例としての可逆性感熱記録媒体は、同出願人の特願２０１０−１９７３９５号を参照されたい。
【００２１】
（中間層）
インクジェット用の被記録媒体１の場合、基質１０に中間層２０を設けるとすると、例えば、ラテックスと称する親水性高分子材料又は本来疎水性高分子材料の水系エマルジョン塗工液が用いられてきた。多量の強力な乳化剤として、界面活性による本来水不溶性樹脂の強制的な乳化物がある。
【００２２】
これにより、基質１０表面および受容層３０の双方との強固な接着性を得て、また、印字されたインクによるビーデイング防止、ブリーデイング防止を図ることができる。一方で、多量の強力な乳化剤の使用による弊害は既に知られている。水溶性樹脂塗工液を稀に用いたときには、構成する樹脂と化学結合可能な官能基を有する架橋剤で架橋反応処理されてきた。従来技術においては、主に、強固な接着性出現が考慮され、水又は水系液体を付与することによる中間層の削除を志向したものでないから当然ではある。
【００２３】
これに対し、実施の形態１における中間層２０は、除去液の供給により溶解又は膨潤する未硬化水溶性高分子材料又は水溶性樹脂を主成分として含有するものである。ここで、「主成分」とは、乾燥重量で６０％以上であることを意味する。実施の形態１における被記録媒体１の中間層２０は、本発明の目的を損なわない範囲で、無機微粒子、有機微粒子、少量の界面活性剤、酸化防止剤、レベリング剤等々の各種副成分を所望により含有することができる。
【００２４】
実施の形態１における被記録媒体１の中間層２０に用いる水溶性高分子材料は、それ自体成膜性があり、基質１０及び受容層３０の接着性に優れるが、除去液の供給により、溶解又は膨潤して基質１０との接着性を減少するものである。受容層３０との接着性も著しく減少するが、これは本発明においては不可欠ではない。中間層２０に用いられる水溶性樹脂については、同出願人の特願２０１０−１９７３９５号を参照されたい。
【００２５】
また、中間層２０としては、水溶性ポリエステルが好適である。水溶性ポリエステルは、例えば主鎖にアリーレン基とアルキレン基及び／又はポリオキシアルキレン基とを有し、金属スルホネート基がペンダントした水溶性ポリエステルである。これにより、水溶性ポリエステルの中間層２０は、靭性と柔軟性とを併せ持ち、常温（２０℃〜２５℃）より２０℃高い温度の水に対する溶解度が、常温での水に対する溶解度の１．５倍以上となる。
【００２６】
また、水溶性ポリエステルとしては、次の式（１）で表される水溶性ポリエステルであることが好ましい。
【００２７】
【化１】
2014102689.tif 000003
式（１）中、Ａｒはフェニル基、ナフチル基を表し、Ｒは分岐を有してもよい炭素数１〜１０の炭化水素基、炭素数１〜１０のポリオキシアルキレンを表し、Ｍはアルカリ金属を表し、ｍ、ｎは整数を表し、ｍ／ｎは、１０／９０〜４０／６０である。
【００２８】
水溶性ポリエステルは、金属スルホネート基により優れた親水性が付与され、かつポリエステル，塩ビ，ポリカーボネート等の樹脂材質およびやアルミニウム板，鋼板等の金属材料に対して優れた密着性を示す。
【００２９】
また、水溶性ポリエステルは、二重結合を有さない飽和ポリエステルであるため、耐性に優れる。金属スルホネート基の含有量としては、少なすぎると得られるポリエステル樹脂の水溶性が不十分となり、再生時に剥離しにくくなる。逆に金属スルホネート基の含有量が多すぎても、水溶性ポリエステル樹脂の耐水性が不十分となることがあるため、ｍ／ｎは１０／９０〜４０／６０であり、１５／８５〜３５／６５であることが好ましく、２０／８０〜３０／７０であることがより好ましい。
【００３０】
また水溶性ポリエステルの分子量は、１００００〜３００００であることが好ましい。分子量が１００００未満では、機械的強度が低下することがある。
【００３１】
水溶性ポリエステルは、ジカルボン酸成分と、ジオ−ル成分と、金属スルホネート基を有する水溶性付与成分とを、原料主成分とし、これらを縮合反応させることにより得られる。なお、水溶性ポリエステル樹脂の原料を、ジカルボン酸成分、グリコール成分、金属スルホネート基を有する水溶性付与成分と分けた場合における、ジカルボン酸成分及びグリコール成分には、水溶性付与成分に該当するものも含まれる。
【００３２】
また、上記水溶性ポリエステルとしては、市販品を用いてもよい。例えば、互応化学工業者から市販されているテレフタル酸、エチレングリコール、５−ナトリウムスルホイソフタル酸からなる共重合体（「プラスコートＺ−２２１」「プラスコートＺ−４４６」「プラスコートＺ−５６１」等）が用いられてもよい。
【００３３】
なお、中間層２０に用いられる水溶性ポリエステルの詳細については、同出願人の特願２０１２−０２９０４４号を参照されたい。
【００３４】
また、中間層２０は、親水性を有する画像形成材料を受容可能とする材料が混合されてもよい。
【００３５】
この場合の基質１０は、例えば、表面に感熱可逆記録層（ロイコ染料）を有し、裏面にＰＥＴシートを貼付してなる可逆性感熱記録媒体（（株）リコー製ＲＥＣＯ−Ｖｉｅｗ）とする。
【００３６】
基質１０の裏面（ＰＥＴシート側）に中間層２０は、次のようにして生成される。水溶性ポリエステル樹脂、互応化学製プラコートＺ−２２１に、「ＲＹ−２」活性剤  添加量１０００ｐｐｍ（０．１％）を添加した溶液が生成される。この溶液と、プロテインパウダー（出光テクノファイン製水溶性材料  ＷＲ−４５２）の吸水性を活かした水溶性インク受容材料がそれぞれ５０％、５０％で混合（不揮発成分比６７：３３）される。混合溶液は、ワイヤーバーを用いて、ウエット膜厚８０μｍ（ドライ膜厚２５μｍ）で塗布される。
【００３７】
被記録媒体１は、上記中間層２０を基質１０に塗工し、ドライヤーにて溶液が固化するまで乾燥させて得られる。
【００３８】
以上の中間層２０に対し、親水性を有する画像形成材料を受容可能とする材料を混合した構成、画像形成材料を受容可能な材料、及び親水性を有する画像形成材料組成物については、同出願人の特願２０１１−０５９０８３号公報を参照されたい。
【００３９】
また、中間層２０は、ポリビニルアルコールを含んで形成されてもよい。ポリビニルアルコールは、酢酸ビニルを重合して得られるポリ酢酸ビニルを鹸化させて得ることができ、下記式（２）で表されるポリビニルアルコールが挙げられる。
【００４０】
【化２】
2014102689.tif 000004
一般式ｍ＋ｎは重合度を表し、４００〜４０００、〔ｍ／（ｍ＋ｎ）〕×１００は鹸化度を表し、７０モル％〜９９モル％の範囲の鹸化度が好ましく、７０モル％〜９０モル％の範囲の鹸化度を有するポリビニルアルコールを使用することがより好ましい。また、ポリオキシレン基などの変性基を有する変性ポリビニルアルコールも使用できる。
【００４１】
前記鹸化度が７０モル％〜９０モル％のポリビニルアルコールとしては、具体的には日本合成化学工業（株）製ゴーセノールＧＨ−１７、ＫＨ−１７、ＮＫ−０５Ｒ等が使用可能ある。また、変性ポリビニルアルコールとしては、日本合成化学工業（株）製エコマティＷＯ−３２０Ｒ等が使用可能である。
【００４２】
また、中間層２０は、粒子の芯（コア）と外殻（シェル）とで組成の異なるコア・シェル型粒子構造を有する樹脂を含んで形成されてもよい。例えば、コアが塩化ビニル、シェルが水溶性アクリルである水溶性樹脂を含んで中間層２０が形成される。
【００４３】
この中間層２０としては、例えば、特表２００５−５２２５７８号公報に示されるような製造方法で得られる塩ビ−アクリル樹脂エマルションを使用でき、星光ＰＭＣ株式会社製：ハイロス−Ｘ：ＢＥ−７６５０等を用いることができる。
【００４４】
また、中間層２０は、水溶性を有するデンプン誘導体を含んで形成されてもよい。水溶性を有するデンプン誘導体は、冷水又は温水に可溶となる水溶性デンプンを含む。水溶性を有するデンプン誘導体としては、例えば、フタムラ化学株式会社製エフスマッシュなどが挙げられる。
【００４５】
つまり、中間層２０は、下記のいずれか一つの水溶性樹脂を含めばよい。
・主鎖にアリーレン基とアルキレン基及び／又はポリオキシアルキレン基とを有し、金属スルホネート基がペンダントした水溶性ポリエステル
・ポリビニルアルコール
・粒子の芯（コア）と外殻（シェル）とで組成の異なるコア・シェル型粒子構造を有する樹脂であって、前記コアが塩化ビニル、前記シェルが水溶性アクリルである
・水溶性を有するデンプン誘導体
また、中間層２０は、受容層３０が収容しきれなかったインク（画像形成材料）を受容してもよい。そのため、中間層２０は、さらなる画像のチリ防止、滲み防止のため、かつ乾燥時の皮膜硬度を保持させるためにシリカ、酸化チタン、アルミナ、酸化亜鉛、炭酸カルシウム等の無機微粒子やアクリル、スチレン等の樹脂微粒子を添加してもよい。かかる無機微粒子を添加する場合、水溶性樹脂１００重量部に対して１〜５０重量部、好ましくは１〜２０重量部添加することができる。
【００４６】
また中間層２０は、通水性を上げるために必要に応じてカチオン性界面活性剤等の帯電防止処理を施してもよい。帯電防止剤は、受容層３０を形成する材料に添加してもよいし、受容層３０を形成した後に、適当な溶媒に溶解・分散させたものを塗布するようにしてもよい。さらに、中間層２０の劣化防止のため、紫外線吸収剤や酸価防止剤を含有させてもよい。紫外線吸収剤や酸価防止剤の添加量は、５重量％以下であることが好ましい。
【００４７】
（受容層）
実施の形態１における受容層３０は、インクジェット記録ヘッドから送られてきたインク滴を、ビーデイング、ブリーデイングなしに好適に受容し画像形成するためのものである。この点では、通常のインクジェットにおける光沢記録紙のインク受容層と本質的に大きな差異はない。しかし、従来は通常、そのためのインク着色料を吸収する多量の無機微粒子、有機微粒子とこれらを固定するための少量のバインダー樹脂を含む塗工液を塗工、乾燥することにより形成していた。
【００４８】
これに対し、実施の形態１における受容層３０は、後述する画像形成材料の除去処理過程で、下層である中間層２０への充分な通水性（通過性）をも有するものである。画像形成材料は、例えば、インクジェットインクの着色料である。また、受容層３０は、中間層２０の除去液による溶解又は膨潤により、崩壊又は中間層２０との接着状態が弛緩される。
【００４９】
また、通常のインクジェットにおける光沢記録紙のインク受容層の場合よりも、無機微粒子、有機微粒子添加量は零または非常に少なく、材料のほとんどは樹脂であることが好ましい点で、受容層３０と従来のインク受容層とは技術思想を異にする。
【００５０】
インク吸収のためのＢＥＴ表面積の比較的大きい微粒子の添加量は、控え目であることが好ましく、その分、層厚は若干厚くてよい。添加量は、例えば、バインダー樹脂１００部当たり、５０部以下、好ましくは３０部以下、より好ましくは２５部以下とする。
【００５１】
受容層３０中に浸透し、受容層３０から漏れたインク液は、実施の形態１の場合、下の中間層２０が受け止めてくれる。
【００５２】
実施の形態１における受容層３０は、着色料を含むインクジェット記録用インク液を吸収、受容するための微粒子を含んでいてもよい樹脂材料を含む。また、更に所望により、安定剤、分散剤、増粘剤、消泡剤、酸化防止剤、湿潤剤、紫外線吸収剤、耐水化剤等の各種の助剤を配合した水溶液あるいは水系のエマルジョンからなる塗工剤の塗工層として受容層３０は形成されてもよい。なお、受容層３０の詳細な成分などについては、同出願人の特願２０１０−１９７３９５号を参照されたい。
【００５３】
受容層３０の厚さは、受容層３０によるインク吸収作用が十分であり、受容層３０の形成作業が良好に行えるように、１〜１２０μｍ、好ましくは２〜６０μｍ程度である。厚さが１μｍに満たない場合は、皮膜化したときの耐水性、耐摩傷性、耐候性などの耐環境性か向上の効果が十分でないおそれがあるので好ましくない。
【００５４】
＜画像形成材料＞
実施の形態１における画像形成材料４０は、親水性液媒体中に着色料及び所望により添加される他の補助材料を含むものである。着色料は、例えば、通常のインクジェットインクに含まれる各種染料及び顔料である。なお、使用されるインク組成物については、同出願人の特願２０１０−１９７３９５号を参照されたい。
【００５５】
＜情報管理システム＞
以下、上述した被記録媒体１を、情報管理システム用に用いる場合について説明する。図２は、実施の形態１における被記録媒体１の一例を示す図である。図２に示す被記録媒体１は、画像形成材料４０により、画像７０や所定のパターン６０が形成されている。画像７０は、工程名「Ａ−１」を示す。画像は、他にも生産機種や工場名、組立チェックシートなどが形成されているが、工程名「Ａ−１」７０を例にして説明する。
【００５６】
図２に示す被記録媒体１の例では、ＲＦＩＤタグ５０が被記録媒体１に埋め込まれている。ＲＦＩＤタグ５０は、データを記録、消去可能な構成になっている。ＲＦＩＤタグ５０には、所定のデータが記憶されている。
【００５７】
図２に示す被記録媒体１は、所定のパターン６０が形成されている。所定のパターンは、筆記データを認識可能なパターンであり、例えば、アノト（Ａｎｏｔｏ）社のドットパターン（アノトパターン）である。筆記データは、手書きで書かれた文字や画像などであり、筆跡データや手書きデータ等とも呼ばれる。
【００５８】
図３は、実施の形態１におけるドットパターンの一例を示す図である。このドットパターンは、例えば、縦横０．３ｍｍ間隔に点が並ぶ特殊なドットパターン（いわゆるアノトパターン）である。ドットパターンは、図３に示すように、０．３ｍｍ間隔の格子状の上に配置された縦横６×６ドットの計３６ドットの組み合わせで構成されている。
【００５９】
図４は、ドットパターンのずれを示す図である。図４に示すように、各ドットは、直交する交点から上下左右のいずれかの方向にごくわずかにずれている。３６のドットがそれぞれ４通りの位置を持つため、４の３６乗という、それぞれが異なる膨大な数のパターンを作ることができる。所定のパターン６０は、それぞれ異なるドットパターンを複数含む。
【００６０】
このドットパターンを形成するためには、高解像度のプリンタで形成することが必要となるが、上述した被記録媒体１は、高解像度のプリンタで印刷可能である。よって、被記録媒体１は、高解像度を必要とする所定のパターン６０であっても形成することができる。なお、所定のパターン６０としては、アノトパターンに限定されるものではなく、筆記データを認識可能とするパターンであればよい。
【００６１】
＜システム構成＞
図５は、図２の被記録媒体の情報管理を行うシステムの一例を示す図である。図５に示す例では、情報管理システムは、データ消去システムにもなり、また、データ入力システムにもなりうる。
【００６２】
情報管理システムは、情報処理装置（例えば、ホストコンピュータ）１００、プリンタ（例えば、インクジェットプリンタ）２００、被記録媒体１、筆記装置３００、ＲＦＩＤリーダーライター４００、消去装置６００を有する。ＲＦＩＤリーダーライター４００は、作業現場に設置される。ＲＦＩＤリーダーライター４００は、ＲＦＩＤアンテナを有する。
【００６３】
情報処理装置１００と、プリンタ２００と、筆記装置３００、ＲＦＩＤリーダーライター４００と、消去装置６００とは、それぞれネットワークを介してデータの送受信が可能となっている。また、プリンタ２００は、ＲＦＩＤタグへのデータの書き込み及び読み込みが可能なＲＦＩＤリーダーライター２０１が内蔵されている。ＲＦＩＤリーダーライター２０１は、ＲＦＩＤアンテナを有する。
【００６４】
図５に示す実施の形態１における情報管理システムでは、被記録媒体１は、「ＧＸ３３００」という機種の工程「Ａ−１」という工程管理で記録されたデータを入力したり、消去したりする際に使用される。以下、この工程「Ａ−１」を作業する人が、「ＸＸＸ」さん、データを消去する人が「ＹＹＹ」さんの場合について説明する。なお、「ＸＸＸ」さんと「ＹＹＹ」さんは同一人物でもよい。
【００６５】
ＲＦＩＤタグ５０には、被記録媒体１又は記憶媒体５０に関する情報、例えば、固有の識別情報（以下、固有ＩＤともいう）である「ａ」が記憶される。このデータは、情報処理装置１００からプリンタ２００に送られ、プリンタ２００は、被記録媒体１のＲＦＩＤタグ５０に、ＲＦＩＤリーダーライター２０１を用いて書き込む。また、このデータは、工場出荷時に既に記憶されていてもよい。
【００６６】
プリンタ２００は、情報処理装置１００から被記録媒体１に印刷するデータを取得すると、図２に示すように、作業工程を表す文字、写真等の画像等を印刷する。なお、画像は、バーコードなどであってもよい。また、プリンタ２００は、記録ヘッドからインク（画像形成材料）を吐出して、所定のパターン６０を被記録媒体１の表面の一部に印刷する。
【００６７】
ここで、被記録媒体１に印刷された所定のパターン６０上で、筆記装置３００を用いて筆記されたとする。このとき、筆記装置３００により筆記データが読み取られ、筆記データの電子データが、同様にして読み取られた所定のパターン６０のうちの少なくとも１つのパターンを示すデータとともに、後述する情報処理装置１００に送信される。筆記データの電子データは、所定のパターン６０のうちの少なくとも１つのパターンを示すデータともに情報処理装置１００に管理される。
【００６８】
また、被記録媒体１に印刷された所定のパターン６０上に筆記された筆記データが、消去装置６００を用いて消去されたとする。このとき、消去装置６００により筆記データの消去が認識され、後述する消去装置６００により読み取られた所定のパターン６０のうちの少なくとも１つのパターンを示すデータとともに消去を示すデータ（例えば消去コマンド）が、情報処理装置１００に送信される。これにより、情報処理装置１００は、取得したデータに対応する筆記データの電子データを消去する。
【００６９】
（作業内容）
次に、作業内容について説明する。データ消去システムに関する作業が行われる前に、データ入力システムの作業が情報管理システムで行われている。まず、「ＸＸＸ」さんが、作業「ＧＸ３３００」という機種の工程「Ａ−１」の作業をする場合、被記録媒体１をＲＦＩＤリーダーライター４００にかざす。ＲＦＩＤリーダーライター４００は、被記録媒体１のＲＦＩＤタグ５０に記憶された固有ＩＤ「ａ」を読み取る。
【００７０】
読み取られたデータは、情報処理装置１００に送信され、情報処理装置１００は、固有ＩＤ「ａ」に対応する工程「Ａ−１」に対応する作業指示を、表示画面に表示する。後述するように、情報処理装置１００は、固有ＩＤ「ａ」と、作業工程「Ａ−１」とを関連付けて管理しておく。作業工程「Ａ−１」は、対応する作業指示を関連付けておいてもよい。
【００７１】
また、表示手段をＲＦＩＤリーダーライター４００付近に設置し、表示手段は、ＲＦＩＤリーダーライター４００で読み取ったデータや、上述した作業指示などを表示するようにしてもよい。
【００７２】
「ＸＸＸ」さんは、表示画面に表示された作業指示に従い組立を行い、作業を終えると、被記録媒体１上のチェックシートに従い、作業を確認する。「ＸＸＸ」さんは、チェックシートの確認が終わると、所定のパターン６０が印刷された作業者サインの欄に手書きで、作業者名を筆記する。この場合、筆記データは、例えば「ＸＸＸ」となる。作業者名の筆記が終わると、筆記装置３００の転送スイッチを押す作業が作業標準になっている。
【００７３】
このため、「ＸＸＸ」さんが作業を終えると、被記録媒体１上の所定のパターン６０が印刷された作業者サインの欄に、筆記装置３００で作業者名を筆記する。筆記装置３００は、筆記データを画像データ（電子データ）として認識することが可能である。また、筆記装置３００は、所定のパターン６０のうちの少なくとも１つのパターンを読み取ることが可能である。筆記装置３００は、認識した筆記データの電子データと読み取ったパターンを示すデータとを、情報処理装置１００に送信する。
【００７４】
情報処理装置１００は、受信したパターンを示すデータと、筆記データの電子データとを対応付けて管理する。
【００７５】
次に、データ消去システムが用いられる場合について説明する。データ消去システムが用いられる場合、「ＹＹＹ」さんは、筆記された筆記データの消去を、消去装置６００を用いて行う。
【００７６】
消去装置６００は、筆記データを消す際に、筆記データが筆記されていた所定のパターン６０のうち少なくとも１つのパターンを読み取る。消去装置６００は、筆記された筆記データの消去を認識した場合、読み取ったパターンを示すデータと、消去を示すデータとを情報処理装置１００に送信する。
【００７７】
なお、ＲＦＩＤタグ５０は、ＲＦＩＤタグ５０の固有ＩＤを記憶するＩＤ領域、所定のデータを記憶するデータ領域を少なくとも有する。所定のデータとは、例えば作業工程名などである。
【００７８】
次に、データ入力システムにおける筆記装置３００と、データ消去システムにおける消去装置６００とについて説明する。
【００７９】
＜筆記装置＞
図６は、データ入力システムにおける筆記装置３００の構成の一例を示すブロック図である。図６に示す筆記装置３００は、ペン型であり、読取部３０１、ＲＦＩＤリーダーライター３０２、ペンダウン検出部３０３、データ記録部３０４、データ転送部３０５、転送スイッチ３０６、クリアスイッチ３０７、データ処理部３０８、及び筆記部３１０を備える。
【００８０】
また、読取部３０１、ＲＦＩＤリーダーライター３０２、ペンダウン検出部３０３、データ記録部３０４、データ転送部３０５、転送スイッチ３０６、クリアスイッチ３０７及びデータ処理部３０８は、それぞれデータバス３０９に接続される。データ転送部３０５は、無線又は有線の回線によって情報処理装置１００に接続される。
【００８１】
読取部３０１は、筆記装置３００の先端に設けられ、被記録媒体１上の所定のパターン６０を光学的に読み取り、その軌跡を正確に計測して筆記データを画像データとして得ることができる。例えば、読取部３０１は、ペンダウン検出部３０３により、ペン先が被記録媒体１に接触しているときに読取処理を行う。
【００８２】
読取部３０１は、例えば、小型カメラであり、文字を書く際に、１．８ｍｍ角の範囲のドットパターン６０（上述の通り縦横６×６ドット＝計３６ドット）を１秒間に例えば７５枚の高速撮影を行う。読取部３０１は、筆記装置３００が通過したドットパターン６０上の位置情報を刻々と捕捉していくことで、イメージスキャンしたような画像データとして筆記データを再現する。
【００８３】
また、読取部３０１は、読み取った、所定のパターン６０のうちのいずれかのパターン（３６ドットパターン）を選択し、データ記録部３０４の所定の領域に記録する。また、筆記データを読み取る読取部と、少なくとも１つのパターンを読み取る読取部とは、同じ読取部３０１が読み取ってもよいし、異なる読取部で読み取ってもよい。
【００８４】
読取部３０１は、読み取ったドットパターンの少なくとも１つのパターン（３６ドット）（第２のデータ）と、筆記データの電子データ（第１のデータ）とをデータ記録部３０４に記録する。
【００８５】
ＲＦＩＤリーダーライター３０２は、ＲＦＩＤアンテナを含み、被記録媒体１に内蔵されたＲＦＩＤタグ５０に対し、データの読み込みを行う。例えば、ＲＦＩＤリーダーライター３０２は、ペンダウン検出部３０３によりペンダウンが検出された場合に、ＲＦＩＤタグ５０から固有ＩＤ「ａ」を読み込む。また、ＲＦＩＤリーダーライター３０２は、所定のデータをＲＦＩＤタグ５０に書き込むこともできる。なお、ＲＦＩＤリーダーライター３０２は、ＲＦＩＤタグ５０のデータを読み込む読込手段やデータを書き込む書込手段として機能する。
【００８６】
ペンダウン検出部３０３は、筆記装置３００のペン先が被記録媒体１に接触しているか否かを検出する。ペンダウン検出部３０３は、例えば、筆圧センサであり、ペン先における筆圧を計測することにより、ペン先と被記録媒体１との接触の有無を検出する。
【００８７】
なお、ペンダウン検出部３０３は、ペン先と被記録媒体１との接触を検出すればよいため、ペン先がペン軸に沿った方向にわずかなストロークを持ち、その終端にマイクロスイッチを備えることでも実現できる。
【００８８】
データ記録部３０４は、読取部３０１により生成された筆記データの電子データと、読み取られたパターンを示すデータとを記録する。電子データは、例えば画像データであるが、筆記装置３００内でＯＣＲ処理が可能であれば、文字データであってもよいし、筆跡を示す座標データであってもよい。また、パターンを示すデータは、そのパターンの位置を示す座標データであってもよいし、パターンを識別できるデータであればよい。
【００８９】
また、データ記録部３０４は、読取部３０１が読み取ったパターンを示すデータと、電子データとを対応付けて記録する。
【００９０】
データ記録部３０４は、電子データを記録するのに十分な所定の容量を有するメモリである。また、データ記録部３０４は、記録したデータを消去することもできる。消去するトリガは、例えばクリアスイッチ３０７がＯＮになり、消去のための信号を取得したときである。
【００９１】
データ転送部３０５は、ネットワークを介してデータの送受信が可能な通信手段であり、データ記録部３０４に記録された筆記データの電子データと、パターンを示すデータとを、情報処理装置１００に転送する（送信する）。転送するトリガは、例えば転送スイッチ３０６がＯＮになり、転送のための信号を取得したときである。
【００９２】
転送スイッチ３０６は、ＯＮ／ＯＦＦを制御するスイッチである。転送スイッチ３０６がＯＮになったときに、データ処理部３０８は、データ転送部３０５に対して、転送のための信号を出力する。
【００９３】
クリアスイッチ３０７は、ＯＮ／ＯＦＦを制御するスイッチである。クリアスイッチ３０７がＯＮになったときに、データ処理部３０８は、データ記録部３０４に対して、消去するための信号を出力する。
【００９４】
転送スイッチ３０６、クリアスイッチ３０７は、押下可能にして筆記装置３００に設けられ、ユーザがＯＮ／ＯＦＦを切り替えるものである。データ処理部３０８は、上記各部を制御する。データ処理部３０８は、例えばＣＰＵ（Central Processing Unit）である。
なお、クリアスイッチ３０７やＲＦＩＤリーダーライター３０２は、必ずしも必要な構成ではない。
【００９５】
また、筆記装置３００は、ボールペンやマジックなどと同様に被記録媒体１への筆記を可能とするペン先を有する筒型の筐体に収納され、図示しない電源から供給される電力により動作する。
【００９６】
筆記部３１０は、筆記データを可視化するための部であり、例えば、鉛筆の芯やボールペンなどである。筆記部３１０の先は、上述したペン先である。ユーザは、筆記部３１０を用いて所定の筆記データを所定のパターン６０上に可視化する。
【００９７】
ここで、筆記装置３００の具体例として、アノト（Ａｎｏｔｏ）社のアノトペンがある。アノトペンは、手書き情報のデジタル化を実現し、書き順や書く速度、筆圧、ペンの傾き、書いた日時などもあわせて記録可能である。
【００９８】
なお、情報処理装置１００は、筆記装置３００内に記録された筆記データの画像データを利用して種々の文書処理又は文書管理を実行してもよい。次に、筆記装置３００で筆記された筆記データを消去する消去装置６００について説明する。
【００９９】
＜消去装置＞
次に、実施の形態１における消去装置６００の構成について説明する。図７は、データ消去システムにおける消去装置（その１）の一例を示すブロック図である。図７に示す消去装置６００は、読取部６０１、消去部ダウン検出部６０３、データ記録部６０４、データ転送部６０５、転送スイッチ６０６、クリアスイッチ６０７、データ処理部６０８、及び消去部６１０を備える。
【０１００】
また、読取部６０１、消去部ダウン検出部６０３、データ記録部６０４、データ転送部６０５、転送スイッチ６０６、クリアスイッチ６０７、及びデータ処理部６０８は、それぞれデータバス６０９に接続される。データ転送部６０５は、無線又は有線の回線によって情報処理装置１００に接続される。
【０１０１】
読取部６０１は、消去装置６００の消去部６１０の近傍に設けられ、被記録媒体１上の所定のパターン６０を光学的に読み取り、所定のパターン６０の所定部分で字消しを行っていることを認識する。消去部６１０の近傍とは、例えば、消去部６１０に隣接する位置であり、消去部６１０による筆記データを消す最中に、所定のパターン６０を光学的に読み取ることができる場所であればよい。
【０１０２】
例えば、読取部６０１は、消去部ダウン検出部６０３からの読み取り信号を取得した場合に読取を行う。読取部６０１は、例えば、小型カメラである。読取部６０１は、所定のパターン６０のうち少なくとも１つのパターンを読み取った場合に、このパターンを示すデータをデータ記録部６０４に出力する。
【０１０３】
消去部ダウン検出部６０３は、消去部６１０が被記録媒体１に接触しているか否かを検出する。消去部ダウン検出部６０３は、例えば、消去部６１０の被記録媒体１の接触面と対向する面（以下、単に背面とも呼ぶ）又は接触面の側面（以下、単に側面とも呼ぶ）に配置された圧力センサである。この圧力センサは、例えば、消去部６１０と消去部６１０のケースとの圧力を計測することにより、消去部６１０と被記録媒体１との接触の有無を検出する。消去部６１０で字消し中は、消去部６１０の背面又は側面とケースとが圧迫される状態になるため、この状態を接触の有無判定に利用する。
【０１０４】
なお、消去部ダウン検出部６０３は、消去部６１０と被記録媒体１との接触を検出すればよいため、消去部６１０の背面又は側面にわずかなストロークを持ち、その終端にマイクロスイッチを備えることでも実現できる。
【０１０５】
消去部ダウン検出部６０３は、消去部６１０と被記録媒体１とが接触している場合、消去部６１０により、筆記データの消去が行われていることを検出する検出手段である。消去部ダウン検出部６０３は、筆記データの消去が行われていることを検出した場合、読取部６０１に対して読み取り信号を出力する。
【０１０６】
また、消去部ダウン検出部６０３は、消去部６１０が被記録媒体１に接触している状態から開放された場合に、転送のための信号をデータ転送部６０５に出力してもよい。
【０１０７】
データ記録部６０４は、読取部６０１によって読み取られたパターンを示すデータを記録する。
【０１０８】
データ転送部６０５は、ネットワークを介してデータの送受信が可能な通信手段である。データ転送部６０５は、データ記録部６０４に記録されたパターンを示すデータを、筆記データの電子データを消去するための消去を示すデータとともに、情報処理装置１００に転送する（送信する）送信手段として機能する。消去を示すデータは、消去命令やクリアデータなどである。クリアデータは、データを消去するためのデータであり、例えばＮＵＬＬデータである。転送するトリガは、転送スイッチ６０６がＯＮになり、転送のための信号を取得したときである。また、転送するトリガとして、消去部ダウン検出部６０３から転送のための信号を取得した場合に転送処理を行ってもよい。
【０１０９】
転送スイッチ６０６は、ＯＮ／ＯＦＦを制御するスイッチである。転送スイッチ６０６がＯＮになったときに、データ処理部６０８は、データ転送部６０５に対して、転送のための信号を出力する。
【０１１０】
クリアスイッチ６０７は、ＯＮ／ＯＦＦを制御するスイッチである。クリアスイッチ６０７がＯＮになったときに、データ処理部６０８は、データ記録部６０４に対して、消去するための信号を出力する。
【０１１１】
転送スイッチ６０６、クリアスイッチ６０７は、押下可能にして消去装置６００に設けられ、ユーザがＯＮ／ＯＦＦを切り替えるものである。データ処理部６０８は、上記各部を制御する。データ処理部６０８は、例えばＣＰＵ（Central Processing Unit）である。なお、転送スイッチ６０６及びクリアスイッチ３０７は、必ずしも必要な構成ではない。
【０１１２】
また、消去装置６００は、消しゴムなどと同様に、被記録媒体１に筆記された情報の消去を可能とする消去部６１０のケースとなる筐体を有する。この筐体に、例えば、読取部６０１、消去部ダウン検出部６０３、データ記録部６０４、データ転送部６０５、転送スイッチ６０６、クリアスイッチ６０７、及びデータ処理部６０８が構成される。この筐体内の各部は、図示しない電源から供給される電力により動作する。
【０１１３】
消去部６１０は、筆記された情報の消去を行うための部であり、例えば、消しゴムや、ボールペン字消去のための摩擦部などである。ユーザは、消去部６１０を用いて所定の筆記データを所定のパターン６０上から消去する。
【０１１４】
＜情報処理装置＞
次に、実施の形態１における情報処理装置１００のハードウェアについて説明する。図８は、実施の形態１における情報処理装置１００のハードウェアの一例を示すブロック図である。図８に示すように、情報処理装置１００は、制御部１０１、主記憶部１０２、補助記憶部１０３、外部記憶装置Ｉ／Ｆ部１０４、ネットワークＩ／Ｆ部１０５、入力部１０６、表示部１０７を含む。これら各構成は、バスを介して相互にデータ送受信可能に接続されている。
【０１１５】
制御部１０１は、コンピュータの中で、各装置の制御やデータの演算、加工を行うＣＰＵである。また、制御部１０１は、主記憶部１０２に記憶されたプログラムを実行する演算装置であり、入力装置や記憶装置からデータを受け取り、演算、加工した上で、出力装置や記憶装置に出力する。
【０１１６】
主記憶部１０２は、ＲＯＭ（Read Only Memory）やＲＡＭ（Random Access Memory）などであり、制御部１０１が実行する基本ソフトウェアであるＯＳやアプリケーションソフトウェアなどのプログラムやデータを記憶又は一時保存する記憶装置である。
【０１１７】
補助記憶部１０３は、ＨＤＤ（Hard Disk Drive）などであり、アプリケーションソフトウェアなどに関連するデータを記憶する記憶装置である。
【０１１８】
外部記憶装置Ｉ／Ｆ部１０４は、ＵＳＢ（Universal Serial Bus）などのデータ伝送路を介して接続された記憶媒体１０８（例えば、フラッシュメモリ、ＳＤカードなど）と情報処理装置１００とのインタフェースである。
【０１１９】
また、記憶媒体１０８に、所定のプログラムを格納し、この記憶媒体１０８に格納されたプログラムは外部記憶装置Ｉ／Ｆ部１０４を介して情報処理装置１００にインストールされ、インストールされた所定のプログラムは情報処理装置１００により実行可能となる。
【０１２０】
ネットワークＩ／Ｆ部１０５は、有線及び／又は無線回線などのデータ伝送路により構築されたＬＡＮ（Local Area Network）、ＷＡＮ（Wide Area Network）などのネットワークを介して接続された通信機能を有する周辺機器と情報処理装置１００とのインタフェースである。
【０１２１】
入力部１０６は、カーソルキー、数字入力及び各種機能キー等を備えたキーボード、表示部１０７の表示画面上でキーの選択等を行うためのマウスやスライドパッド等を有する。また、入力部１０６は、ユーザが制御部１０１に操作指示を与えたり、データを入力したりするためのユーザインタフェースである。
【０１２２】
表示部１０７は、ＣＲＴやＬＣＤ等により構成され、制御部１０１から入力される表示データに応じた表示が行われる。なお、表示部１０７は、情報処理装置１００とは別体であってもよく、その場合の情報処理装置１００は、表示部１０７に表示するための表示制御機能を有する。
【０１２３】
（機能）
次に、情報処理装置１００の機能について説明する。図９は、実施の形態１における情報処理装置１００の機能の一例を示すブロック図である。図９に示す例では、情報処理装置１００は、通信手段１１１、文字認識手段１１２、管理手段１１３、メール作成手段１１４、記憶手段１１５、及び消去手段１１６を備える。
【０１２４】
なお、通信手段１１１は、例えばネットワークＩ／Ｆ部１０５などにより実現されうる。文字認識手段１１２、メール作成手段１１４及び消去手段１１６は、例えば制御部１０１やワークメモリとしての主記憶部１０２などにより実現されうる。管理手段１１３は、例えば制御部１０１や補助記憶部１０３などにより実現されうる。記憶手段１１５は、例えば補助記憶部１０３などにより実現されうる。
【０１２５】
通信手段１１１は、ネットワークを介してデータの送受信を行う。通信手段１１１は、例えば、筆記装置３００から筆記データの電子データ（例えば画像データや文字データ）やパターンを示すデータを受信する。また、通信手段１１１は、ＲＦＩＤリーダーライター４００から記憶媒体の固有ＩＤ及び／又は筆記データの電子データを受信したり、記憶媒体の固有ＩＤや印刷内容をプリンタ２００に送信したりする。また、通信手段１１１は、消去装置６００からパターンを示すデータや、消去命令や電子データを消去するためのクリアデータ等の消去を示すデータを受信する。
【０１２６】
文字認識手段１１２は、例えばＯＣＲ処理を実行可能であり、電子データが画像データである場合、画像データに対して文字認識処理を行う。文字認識手段１１２は、例えば「ＸＸＸ」という画像データに対し、文字認識処理を行い、「ＸＸＸ」を文字データに変換する。文字認識手段１１２は、文字認識処理が終了すると、「ＸＸＸ」という文字データを、メール作成手段１１４に出力する。
【０１２７】
管理手段１１３は、記憶媒体５０の固有ＩＤに対応付けて各所定のパターンを対応付けて管理しておく。固有ＩＤは、管理手段１１３により１又は複数管理される。ここでは、管理手段１１３は、例えば、固有ＩＤと、作業工程と、署名された電子データと所定のパターン内の複数のパターンとを関連付けて管理する。
【０１２８】
また、管理手段１１３は、複数に分割された所定のパターンのそれぞれに、被記録媒体１に含まれるＲＦＩＤタグ５０の識別情報を関連付けておき、座標データ（第２のデータ）が所定のパターンの分割単位のいずれに含まれるかを判定してもよい。
【０１２９】
なお、管理手段１１３は、電子データとして、例えば、署名された画像データ又は文字認識された文字データを管理するようにすればよい。また、管理手段１１３は、複数のパターンについて、複数のパターンのそれぞれの位置を示す座標領域データを管理すればよい。
【０１３０】
管理手段１１３は、通信手段１１１からパターンを示すデータと、電子データとを取得した場合、まず、パターンを示すデータを既に管理しているかどうかの照合処理を行う。管理手段１１３が、パターンを示すデータを既に管理している場合、そのパターンを含むデータに関連付けて「ＸＸＸ」の電子データを管理する。管理手段１１３は、「ＸＸＸ」の電子データの関連付けが終了すると、その旨をメール作成手段１１４に通知する。
【０１３１】
管理手段１１３は、パターンを示すデータが管理されていない場合、エラー処理を行う。エラー処理は、例えば、筆記装置３００にエラーを通知し、筆記装置３００は、エラーを通知された場合、ＬＥＤ（Light Emitting Diode）などを点灯又は点滅させてユーザに知らせるなどの処理である。
【０１３２】
記憶手段１１５は、ユーザ名とメールアドレスとを関連付けたアドレス情報を記憶する。例えば、アドレス情報には、ユーザ名「ＸＸＸ」に対し、「ＸＸＸ＠ｙｙｙ．ｃｏｍ」のメールアドレスが関連付けられている。アドレス情報は、ユーザ名とメールアドレスの組合せを１又は複数保持する。
【０１３３】
メール作成手段１１４は、管理手段１１３により、電子データの関連付けが終了した旨の通知を受けた場合、また、「ＸＸＸ」の文字列が消去された場合、次の処理を行う。メール作成手段１１４は、管理手段１１３又は文字認識手段１１２から取得した「ＸＸＸ」の文字列と、記憶手段１１５に記憶されているアドレス情報のユーザ名とを照合する。
【０１３４】
メール作成手段１１４は、一致するユーザ名がアドレス情報にあった場合、そのユーザ名に対応するメールアドレスを宛先にし、メールを作成する。メール本文は、例えば、署名の関連付けが完了した旨、又は関連付けが解消した旨を記載する。メール作成手段１１４は、通信手段１１１にメールを出力する。通信手段１１１は、メール作成手段１１４により作成されたメールを宛先に送信する。
【０１３５】
メール作成手段１１４は、一致するユーザ名がない場合は、エラー処理を行う。エラー処理は、例えば、筆記装置３００にメール送信できなかった旨を通知し、筆記装置３００のバイブレーション機能やＬＥＤ点灯又は点滅を作動させる処理である。
【０１３６】
なお、電子データの関連付けができなかった場合のエラー処理と、メール送信できなかった場合のエラー処理とは、異なる処理にすればよい。例えば、電子データの記憶未完了の場合は、ＬＥＤ点灯、メール未送信の場合は、ＬＥＤ点滅などにすればよい。
【０１３７】
これにより、ユーザは、どのエラー処理であるかを把握することができ、その後の対策を立てやすくなる。
【０１３８】
消去手段１１６は、通信手段１１１からパターンを示すデータと消去を示すデータとを取得した場合、データが示すパターンが管理手段１１３に既に管理されているかどうかの照合処理を行う。管理手段１１３が、パターンを示すデータを既に管理している場合、消去手段１１６は、パターンを示すデータに対応する電子データを消去する。
【０１３９】
また、消去手段１１６は、クリアデータを取得した場合は、管理手段１１３が管理するパターンを示すデータにクリアデータを関連付ける。つまり、消去手段１１６は、受信されたパターンを示すデータに既に文字列「ＸＸＸ」が関連付けられていた場合、ＮＵＬＬデータを上書きしてその文字列「ＸＸＸ」を消去する。管理手段１１３は、その文字列「ＸＸＸ」の電子データが消去された旨をメール作成手段１１４に通知してもよい。
【０１４０】
消去手段１１６は、受信されたパターンを示すデータが管理されていない場合、筆記の際と同様にエラー処理を行う。
【０１４１】
これにより、管理手段１１３が、署名された電子データを管理した場合、その工程は作業が終了したことを示すことができ、誰がその作業をしたかを管理することもできる。また、誤って署名が行われた場合には、消去手段１１６は、その署名に対応する電子データの消去を行うことができる。
【０１４２】
＜各種データの例＞
図１０は、所定のパターンに分割する例を説明する図である。図１０に示すドットパターンは、厳密には図３のように上下左右にわずかにずれたドットパターンであるが、説明を簡単にするため、均一なドットパターンで表す。
【０１４３】
図１０（Ａ）に示すパターンは、図３に示すようなドットパターンを複数有する。図３で上述したように、ドットパターンは、４の３６乗分あり、これらは全て異なるドットパターンである。また、このドットパターンの位置を判別できる面積に換算すると、その面積は約６０００万ｋｍ２である。
【０１４４】
図１０（Ａ）に示す無数のドットパターンが、複数の所定のパターンに分割される。図１０（Ｂ）は、所定のパターンに分割する例を示す。図１０（Ｂ）に示す例では、分割された所定のパターンの１つが、データ（例えばＤＤＤなど）に対応付けられ、例えば被記録媒体１に印刷される。図１０（Ｂ）に示す例では、所定のパターン上にＤＤＤなどを記載しているが、実際はこれらのデータは対応付けられるだけであり、所定のパターン上に記載されることはない。
【０１４５】
（データ遷移例１）
図１１は、データ遷移例（その１）を示す図である。図１１に示す例では、筆記装置３００から、パターンを示すデータと、筆記データの電子データとが送信された場合の、情報処理装置１００が管理するデータの遷移例を示す。なお、以下では、パターンを示すデータは、例えばそのパタ−ンの位置を示す座標データを例にして説明する。
【０１４６】
図１１（Ａ）は、筆記装置３００から情報処理装置１００に送信されるデータの一例を示す。図１１（Ａ）に示すように、筆記装置３００は、読み取ったパターンの座標データと、筆記データの電子データとを情報処理装置１００に送信する。
【０１４７】
図１１（Ｂ）は、情報処理装置１００の管理手段１１３で管理されているデータの一例を示す。図１１（Ｂ）に示すように、管理手段１１３は、固有ＩＤと、データ（例えば工程など）と、筆記データの電子データと、座標領域データとを関連付けて管理している。座標領域データには、所定パターン内の全てのパターンの座標データが保持される。
【０１４８】
図１１（Ｃ）は、図１１（Ｂ）に示す状態から、情報処理装置１００が電子データを受信した場合を示す。図１１（Ｃ）に示すように、情報処理装置１００は、受信した座標データ（ｘｔ、ｙｔ）を含む座標領域データに対応付けて電子データ「ＸＸＸ」を管理する。なお、座標（ｘｔ、ｙｔ）は、座標（１，１００）〜（１００，１０）に含まれるとする。
【０１４９】
これにより、被記録媒体１に筆記された筆記データを、情報処理装置１００側で容易に所定のデータと対応付けることができる。
【０１５０】
（データ遷移例２）
図１２は、データ遷移例（その２）を示す図である。図１２（Ａ）は、ＲＦＩＤタグ５０に記憶されたデータ、被記録媒体１に筆記された筆記データの一例を示す。図１２（Ａ）に示すように、ＲＦＩＤタグ５０は、ＲＦＩＤタグ５０を識別するための固有ＩＤ「ｂ」と、所定のデータ「ＤＤＤＤ」を記憶している。また、被記録媒体１には、筆記装置３００を用いて「ＥＥＥＥ」が筆記されている。
【０１５１】
図１２（Ｂ）は、図１２（Ａ）に示す状態から筆記データが消去された場合を示す。消去装置６００を用いて被記録媒体１に筆記された筆記データが消去されると、図１２（Ｂ）に示すように、筆記データ「ＥＥＥＥ」が消去される。
【０１５２】
図１２（Ｃ）は、消去装置６００から情報処理装置１００に送信されるデータの一例を示す。図１２（Ｃ）に示すように、消去装置６００は、読み取ったパターンの座標データ（６０，１２）と消去を示すデータ（例えば消去コマンド）とを情報処理装置１００に送信する。
【０１５３】
図１２（Ｄ）は、情報処理装置１００の管理手段１１３で管理されているデータの一例を示す。図１２（Ｄ）に示すように、管理手段１１３は、固有ＩＤと、データと、筆記データの電子データと、座標領域データとを関連付けて管理している。
【０１５４】
図１２（Ｅ）は、図１２（Ｄ）に示す状態から消去を示すデータにより電子データが消去された場合を示す。図１２（Ｅ）に示すように、情報処理装置１００は、受信した座標データ（６０，１２）に対応する電子データ「ＥＥＥＥ」を消去する。
【０１５５】
これにより、被記録媒体１に筆記された筆記データと、情報処理装置１００で管理する筆記データの電子データとの整合を図ることができる。つまり、被記録媒体１に筆記された筆記データが消去された場合に、情報処理装置１００で管理する筆記データの電子データを自動で削除することができる。
【０１５６】
＜被記録媒体初期化＞
前述した被記録媒体１は、初期化することができる。被記録媒体１を初期化する場合、被記録媒体１に印刷された画像、所定のパターン６０、筆記データなどを消去する必要がある。また、ＲＦＩＤタグ５０に書き込まれたデータを一度消去し、初期化するようにしてもよい。
【０１５７】
次に、実施の形態１における被記録媒体１の画像、所定のパターン６０及びＲＦＩＤタグ５０のデータを消去するのに適した画像消去装置について説明する。図１３は、画像消去装置５００の構成の一例を示す図である。
【０１５８】
実施の形態１における被記録媒体１の画像消去方法は、被記録媒体１の画像保持面に水又は水性液を有する除去液（画像形成材料の除去液）を供給する除去液供給処理と、被記録媒体１の画像保持面を擦掃する擦掃処理を含む。これらの処理は同時に進行してもよいが、図１３に示す例の画像消去装置５００においては逐次遂行される。
【０１５９】
図１３に示される画像消去装置５００において、被記録媒体１は、搬送ローラ対５０１により装置内に搬送され、除去液の付与箇所で画像材料除去液槽５０２内の除去液が加圧され液噴射ノズル５０３から被記録媒体１表面に噴射される。
【０１６０】
液噴射ノズル５０３は、複数のノズルヘッドからなるノズルアレイであってもよく、また、スリット式の噴射ヘッドであってもよい。除去液が画像形成材料を有する受容層３０面に付与され、中間層２０が膨潤される。除去液は、冷たくても温かくてもよく、中間層２０の材料に応じて温度が適切に変えられればよい。
【０１６１】
次に被記録媒体１は、擦掃処理に導かれ、保持ローラ対５０６と保持ローラ対５０７で保持された状態で、ブラシローラ５０８によりブラッシングされる。これにより、膨潤した中間層２０が除去される。
【０１６２】
しかし、実施の形態１においては、ブラッシングに代え、織布等による拭払であってもよい。図１３に示すブラシクローニングベルト５０９は、ブラシローラ５０８に付いたペースト状の屑を除去する。
【０１６３】
その後、図１３に示す例では、被記録媒体１は、残った中間層２０材料をより完全に除去するため、バックアップローラ５１０の助けのもとで、表面掃掻ブレ−ド５１１により屑材料が掻き取られる。その後、被記録媒体１は、トレー５１３上に排出されるが、このような表面掃掻ブレ−ド５１１は、実施の形態１において必ずしも必要なものではない。
【０１６４】
さらに、画像消去装置５００内には、ＲＦＩＤタグ５０へのデータの書き込みが可能なＲＦＩＤリーダーライター５１２が内蔵されている。
【０１６５】
ＲＦＩＤリーダーライター５１２は、画像消去装置５００により画像や所定パターンなどが消去された被記録媒体１内のＲＦＩＤタグのデータを消去する。この場合、被記録媒体１は、画像や所定のパターン６０及びＲＦＩＤタグ５０のデータが無い状態でトレー５１３に排出される。このように、画像除去処理後の被記録媒体１は、基質１０のみになっている。基質１０には、必要に応じてＲＦＩＤタグ５０が内蔵される。
【０１６６】
＜被記録媒体の再生＞
次に、被記録媒体１の再生について説明する。図１４は、再生コーティング装置８００の構成の一例を示す図である。再生コーティング装置８００は、被記録媒体１を再生することができる。
【０１６７】
図１４に示すように、画像消去処理によって基質１０のみになった被記録媒体１は、再生コーティング装置８００により、耐水性を有する基質１０上に中間層２０がコーティングされ、中間層２０が乾燥される。
【０１６８】
中間層２０の乾燥後、再生コーティング装置８００は、中間層２０の基質１０側とは逆の面上に、画像形成材料４０のための受容層３０をコーティングし、乾燥させる。これにより、被記録媒体１の再生が完了する。
【０１６９】
＜具体例＞
ここで、被記録媒体１の画像形成、画像消去、再生の一連の動作の具体例について説明する。生産する機種や各工程により、作業工程を表す文字、バーコード、写真等の画像等が代わり、被記録媒体１は、書き換えられる。
【０１７０】
また、作業者も異なるため、作業者サインの欄のボールペンやマジックなどで書かれた筆記データも消去が必要となる。また、被記録媒体１に印刷されるレイアウトも機種や各工程により変更されるため、所定のパターン６０の位置や大きさも、必要に応じて変更される。
【０１７１】
図１５は、画像形成、画像消去、再生の一連の動作の具体例を示す図である。図１５に示すように、被記録媒体１は、（１）〜（６）の状態に変化する。なお、各状態は、被記録媒体１の表面と、被記録媒体１の断面とを用いて説明する。
【０１７２】
（１）の状態は、例えば、工場出荷時の状態を示す。（１）の状態の被記録媒体１は、基質１０、基質１０の上に中間層２０、中間層２０の上に受容層３０を有する。このときのＲＦＩＤタグ５０には、例えば、ＲＦＩＤタグの固有の識別情報（固有ＩＤ）が記憶されている。
【０１７３】
（２）の状態は、プリンタ２００により画像（画像７０を含む）、所定のパターン６０、を画像形成材料４０により形成された状態を示す。例えば、インクジェットのインクにより、画像７０、所定のパターン６０などが被記録媒体１に印刷される。このとき、プリンタ２００のＲＦＩＤリーダーライター２０１は、ＲＦＩＤタグ５０の固有ＩＤに対応する、組み立てる機種を認識するデータと、作業する工程「Ａ−１」を認識するデータとを、印刷時などにＲＦＩＤタグ５０に書き込んでもよい。（２）の被記録媒体１は、工程「Ａ−１」の場合の画像７０や所定パターン６０などが印刷される。
【０１７４】
（３）の状態は、工程「Ａ−１」の作業が終わり、作業者により、所定のパターン６０上に、作業者の名前を筆記された状態を示す。ここでは、作業者の名前は「ＸＸＸ」とする。このとき、作業者は、上述した筆記装置３００を用いて、自分の名前を筆記する。
【０１７５】
この後、例えば、筆記装置３００は、生成した「ＸＸＸ」の電子データを、読み取ったパターンを示すデータとともに、情報処理装置１００に送信する。これにより、情報処理装置１００は、パターンを示すデータと電子データとを関連付けて管理することができる。
【０１７６】
（４）の状態は、消去装置６００により、作業者の名前が消去された状態を示す。筆記データは、例えば作業者の名前が誤っていた場合や、正しく電子データを認識できない場合に消去される。このとき、消去する者は、上述した消去装置６００を用いて、名前の消去を行う。この後、例えば、消去装置６００は、読み取ったパターンを示すデータとともに消去を示すデータを情報処理装置１００に送信する。
【０１７７】
（５）の状態は、所定のパターン６０上に、再度作業者の名前が筆記された状態を示す。この場合の処理は（３）と同じである。
【０１７８】
（６）の状態は、（３）や（５）の状態の被記録媒体１に対して、画像消去処理を施した後の状態を示す。（３）や（５）の状態の被記録媒体１で、作業が終了し、その用途を終えた場合には、被記録媒体１を再利用するための画像消去が行われる。被記録媒体１は、画像消去装置５００により画像消去処理が行われ、画像７０、所定のパターン６０などが消去される。
【０１７９】
また、被記録媒体１内のＲＦＩＤタグ５０のデータは、例えば固有ＩＤ以外がＲＦＩＤリーダーライター５１２により消去される。なお、必要に応じて、固有ＩＤを消去してもよい。このとき、被記録媒体１は、基質１０のみである。
【０１８０】
（７）の状態は、画像消去後に、再生コーティング処理を施した状態を示す。（７）の状態の被記録媒体１は、再生コーティング処理により、基質１０の上に、中間層２０、受容層３０が再生されている。これにより、被記録媒体１は、（１）の状態に戻り、再生初期化され、再利用される。
【０１８１】
（８）の状態は、（２）の状態とは異なる画像、所定のパターンが印刷された状態を示す。（８）の被記録媒体１は、工程「Ａ−２」の場合の画像７０や所定のパターン６０などが印刷されている。（８）の被記録媒体１は、所定のパターン６０のサイズ、位置、画像７０の位置が（２）の状態の被記録媒体１とは異なる。また、ＲＦＩＤタグ５０の固有ＩＤが書き換え可能ならば、書き換えてもよい。これにより、被記録媒体１は、機種や工程内容などに応じて、形成される画像を変更したり、形成される所定パターンの位置、サイズを変更したり、固有ＩＤを書き換えたりすることができる。
【０１８２】
なお、（８）の被記録媒体１には、ＲＦＩＤタグ５０には、固有ＩＤ「ｂ」が記憶された後、作業者名「ＹＹＹ」が所定のパターン６０上に、筆記装置３００で筆記されると、前述した「ＸＸＸ」の処理と同様の処理が行われる。
【０１８３】
（作業例）
次に、実施の形態１におけるデータ入力システムを用いて入力されたデータの用途例を説明する。図１６は、作業工程の一例を示す図である。ここでは、製品を乗せたコンテナが各工程を回る例を示す。工程毎にＲＦＩＤリーダーライター４００、４０１が設置されている。
【０１８４】
例えば、作業者「ＸＸＸ」さんは、工程「Ａ−１」で作業を行い、作業が終了すると、被記録媒体１に筆記装置３００を用いて署名をし、次の工程へコンテナを移動させる。
【０１８５】
作業者「ＺＺＺ」さんは、工程「Ａ−２」で作業を行い、作業が終了すると、別の被記録媒体１に筆記装置３００を用いて署名をし、次の工程へコンテナを移動させる。この場合、各ＲＦＩＤリーダーライターで、被記録媒体のＲＦＩＤタグを読み取れば、どの作業を誰が担当したかを迅速に把握できるようになる。
【０１８６】
例えば、各作業を開始する際、エラー検査機が、所定の工程での作業をエラーであると示した場合、その工程に対応するＲＦＩＤタグの固有ＩＤに関連付けられた電子データをＲＦＩＤリーダーライターが読み取る。読み取られた電子データは、表示部などに表示されたり、音声出力されたりすることで、人が被記録媒体の書名欄を確認しなくても、エラー作業を行った作業者を容易に把握することができるようになる。
【０１８７】
＜動作＞
次に、実施の形態１における情報管理システムの動作について説明する。以下、被記録媒体の準備処理例、筆記装置の処理例、消去装置の処理例、情報処理装置のデータ管理処理例、情報処理装置のメール処理例を順に説明する。
【０１８８】
（被記録媒体の準備処理）
図１７は、被記録媒体の準備処理の一例を示すフローチャートである。図１７に示すステップＳ１０１で、情報処理装置１００は、分割された所定のパターン（図１０参照）に含まれる各座標を示す座標領域データと、その所定のパターンが印刷される被記録媒体に含まれるＲＦＩＤタグ５０のＩＤとを対応付ける。
【０１８９】
ステップＳ１０２で、プリンタ２００は、被記録媒体１に所定のパターン６０を印刷する。
【０１９０】
ステップＳ１０３で、情報処理装置１００は、ＲＦＩＤタグ５０にセット（記憶）された固有ＩＤを管理する。
【０１９１】
これにより、情報処理装置１００は、被記録媒体１に含まれるＲＦＩＤタグ５０の固有ＩＤを管理することができる。
【０１９２】
（筆記装置の処理）
図１８は、筆記装置３００の処理の一例を示すフローチャートである。図１８に示すステップＳ２０１で、読取部３０１は、筆記される際に、所定のパターン６０のうち少なくとも１つのパターンが読み取れたか否かを判定する。パターンが読み取れれば（ステップＳ２０１−ＹＥＳ）ステップＳ２０２に進み、パターンが読み取れなければ（ステップＳ２０１−ＮＯ）ステップＳ２０１に戻る。
【０１９３】
ステップＳ２０２で、データ記録部３０４は、読み取ったパターンの座標データを、例えば先頭の保存領域に保存する。ここでは、パターンを示すデータは、例えば座標データである。
【０１９４】
ステップＳ２０３で、読取部３０１は、所定のパターン６０上に筆記された筆記データを検出したか否かを判定する。読取部３０１は、筆記データを検出した場合（ステップＳ２０３−ＹＥＳ）、筆記データの画像データを取得する。読取部３０１により、筆記データの検出がなければ（ステップＳ２０３−ＮＯ）ステップＳ２０３に戻る。読取部３０１は、筆記データの画像データを取得した場合、ステップＳ２０４に進む。
【０１９５】
ステップＳ２０４で、データ記録部３０４は、読取部３０１により生成された筆記データの電子データを保存する。このとき、データ記録部３０４は、座標データに関連付けて電子データを保存する。
【０１９６】
ステップＳ２０５で、データ処理部３０８は、転送スイッチ３０６がＯＮになったか否かを判定する。データ処理部３０８は、転送スイッチ３０６から押下信号を取得した時に転送スイッチ３０６がＯＮになったと判断できる。転送スイッチ３０６がＯＦＦであればステップＳ２０５に戻る。転送スイッチがＯＮになれば（ステップＳ２０５−ＹＥＳ）ステップＳ２０６に進む。
【０１９７】
ステップＳ２０６で、データ転送部３０５は、座標データと電子データとを、情報処理装置１００に送信する。
【０１９８】
これにより、筆記装置３００は、所定パターン６０内の少なくとも１つのパターンの座標データと、筆記データ（手書きの署名）の電子データとを、情報処理装置１００に送信することで、情報処理装置１００は、これらの情報を関連付けて管理することができる。
【０１９９】
（消去装置の処理）
図１９は、消去装置６００の処理の一例を示すフローチャートである。なお、図１９に示す例では、消去を示すデータとして消去命令を例にして説明する。
【０２００】
図１９に示すステップＳ３０１で、消去部ダウン検出部６０３は、消去部６１０が被記録媒体１と接触しているか否かを判定する。消去部６１０が被記録媒体１に接触していることをダウンと称す。ダウンが検出されれば（ステップＳ３０１−ＹＥＳ）ステップＳ３０２に進み、ダウンが検出されなければ（ステップＳ３０１−ＮＯ）ステップＳ３０１に戻る。
【０２０１】
ステップＳ３０２で、読取部６０１は、消されている筆記データが筆記された所定のパターン６０内のパターンを読み取る。
【０２０２】
ステップＳ３０３で、データ記録部６０４は、読み取られたパターン座標データを座標保存領域に記録する。
【０２０３】
ステップＳ３０４で、消去部ダウン検出部６０３は、ダウン状態から非ダウン状態になったか否かを判定する。非ダウン状態とは、ダウン未検出に対応する。ダウンが未検出になれば（ステップＳ３０４−ＹＥＳ）ステップＳ３０５に進み、ダウンが未検出にならなければ（ステップＳ３０４−ＮＯ）ステップＳ３０４に戻る。
【０２０４】
ステップＳ３０５で、データ転送部６０５は、データ記録部３０４に記録されている座標データとともに消去命令を情報処理装置１００に送信する。
【０２０５】
これにより、消去装置６００は、情報処理装置１００側で管理されている、パターンを示すデータと関連付けられた電子データを、筆記データ（手書きの署名）の消去とあわせて消去することを命令することができる。
【０２０６】
（情報処理装置の情報管理処理）
図２０は、情報処理装置１００の情報管理処理（その１）の一例を示すフローチャートである。図２０に示す処理は、電子データを管理する場合の処理である。
【０２０７】
図２０に示すステップＳ４０１で、通信手段１１１は、筆記装置３００から電子データを受信したか否かを判定する。電子データが受信されれば（ステップＳ４０１−ＹＥＳ）ステップＳ４０２に進み、電子データが受信されなければ（ステップＳ４０１−ＮＯ）ステップＳ４０１に戻る。
【０２０８】
ステップＳ４０２で、管理手段１１３は、電子データの先頭から決められたバイト数分を読み込む。
【０２０９】
ステップＳ４０３で、管理手段１１３は、読み込んだデータである座標データを含む座標領域データをサーチする。
【０２１０】
ステップＳ４０４で、管理手段１１３は、読み込んだデータである座標データを含む座標領域データがあるか否かを判定する。座標領域データがあれば（ステップＳ４０４−ＹＥＳ）ステップＳ４０５に進み、座標領域データがなければ（ステップＳ４０４−ＮＯ）ステップＳ４０６に進む。以下では、読み込んだデータである座標データを含む座標領域データを、サーチされた座標データとも称す。
【０２１１】
ステップＳ４０５で、管理手段１１３は、サーチされた座標データに関連付けて、作業者名の電子データ（例えば、画像データ）を保存する。
【０２１２】
ステップＳ４０６で、管理手段１１３は、エラー処理を行う。エラー処理は、エラー通知を筆記装置３００に送信し、筆記装置３００は、例えば、ＬＥＤを点灯又は点滅させたり、バイブレーションで振動させたりしてユーザにエラーの旨を知らせる処理である。
【０２１３】
これにより、情報処理装置１００は、作業者名の電子データが管理されることで作業の終了を管理するとともに、作業者名も管理することもできる。
【０２１４】
図２１は、情報処理装置１００の情報管理処理（その２）の一例を示すフローチャートである。図２１に示す処理は、管理側で電子データを消去する場合の処理である。なお、図２１に示す例では、消去を示すデータとして消去命令を例にして説明する。
【０２１５】
図２１に示すステップＳ５０１で、通信手段１１１は、筆記装置３００又は消去装置６００からデータを受信したか否かを判定する。データが受信されれば（ステップＳ５０１−ＹＥＳ）ステップＳ５０２に進み、データが受信されなければ（ステップＳ５０１−ＮＯ）ステップＳ５０１に戻る。
【０２１６】
ステップＳ５０２で、通信手段１１１は、受信されたデータを解析する。解析処理により、受信されたデータに何のデータが含まれるかを判定する。
【０２１７】
ステップＳ５０３で、通信手段１１１は、受信されたデータに消去命令が含まれているか否かを判定する。消去命令が含まれていれば（ステップＳ５０３−ＹＥＳ）ステップＳ５０５に進み、消去命令が含まれていなければ（ステップＳ５０３−ＮＯ）ステップＳ５０４に進む。
【０２１８】
ステップＳ５０４で、管理手段１１３は、受信されたデータである座標データと、筆記データの電子データとを関連付けて管理する（例えば図２０の４０３〜Ｓ４０６）。
【０２１９】
ステップＳ５０５で、消去手段１１６は、自身が管理している座標領域データ内に、受信された座標データと一致するものをサーチする。
【０２２０】
ステップＳ５０６で、消去手段１１６は、受信された座標データが含まれる座標領域データがあるか否かを判定する。サーチされた座標領域データがあれば（ステップＳ５０６−ＹＥＳ）ステップＳ５０８に進み、サーチされた座標領域データがなければ（ステップＳ５０６−ＮＯ）ステップＳ５０７に進む。
【０２２１】
ステップＳ５０７で、消去手段１１６は、エラー処理を行う。エラー処理は、エラー通知を消去装置６００に送信し、消去装置６００が、例えば、ＬＥＤを点灯又は点滅させたり、バイブレーションで振動させたりしてユーザにエラーの旨を知らせる処理である。
【０２２２】
ステップＳ５０８で、消去手段１１６は、サーチされた座標領域データに関連付けられている電子データ（例えば、画像データ）を消去する。
【０２２３】
これにより、情報処理装置１００は、被記録媒体１に筆記された筆記データの消去に伴って、自身が管理する筆記データの電子データを削除することができる。
【０２２４】
（情報処理装置のメール処理）
図２２は、情報処理装置１００のメール処理の一例を示すフローチャートである。図２１に示す処理は、電子データが関連付けられた後に行われる処理である。
【０２２５】
図２２に示すステップＳ６０１で、文字認識手段１１２は、受信された電子データ（画像データ）に対し、文字認識処理（ＯＣＲ処理）を施し、文字データに変換する。ここでは、作業者名が文字データとして得られる。なお、電子データが文字データであれば、ステップＳ６０１は省略される。
【０２２６】
ステップＳ６０２で、メール作成手段１１４は、記憶手段１１５に記憶されるアドレス情報から、文字認識された作業者名と一致するユーザ名があるかをサーチする。
【０２２７】
ステップＳ６０３で、メール作成手段１１４は、一致したユーザ名があるか否かを判定する。一致するユーザ名があれば（ステップＳ６０３−ＹＥＳ）ステップＳ６０４に進み、一致するユーザ名がなければ（ステップＳ６０３−ＮＯ）ステップＳ６０６に進む。
【０２２８】
ステップＳ６０４で、メール作成手段１１４は、一致するユーザ名に対応するメールアドレスをアドレス情報から取得し、そのメールアドレスを宛先にしてメールを作成する。メール本文は、例えば、画像データの関連付けが完了した旨を知らせる文章である。
【０２２９】
ステップＳ６０５で、通信手段１１１は、メール作成手段１１４が作成したメールを送信する。これにより、作業者は、自身の署名の画像データが、情報処理装置１００に無事に管理されたことを知ることができる。
【０２３０】
ステップＳ６０６で、メール作成手段１１４は、エラー処理を行う。エラー処理は、例えば、筆記装置３００にメール送信できなかったことを通知する。筆記装置３００は、メール送信不可を通知されると、ＬＥＤを点灯又は点滅したり、バイブレーション機能を作動したりする。なお、このエラー処理は、画像データの関連付けのエラー処理と異なる処理にすればよい。これにより、作業者は、メール送信できなかったことを知ることができ、情報処理装置１００にメールアドレスを登録すればよいことを知ることができる。
【０２３１】
以上、実施の形態１によれば、被記録媒体に筆記された筆記データの電子データを、管理側で所定のデータに対応付ける処理又は筆記データが消された場合の消去処理を含む情報管理処理を容易に行うことができる。例えば、実施例では、筆記装置３００や消去装置６００を用いることで、管理側で筆記データの電子データを容易に管理することができる。
【０２３２】
また、実施の形態によれば、高解像度での印刷が可能な被記録媒体上に、筆記データを認識可能な所定のパターンを形成することで、所定のパターンの再形成を可能にすることができる。
【０２３３】
また、実施の形態における被記録媒体は、所定のパターン上に手書きで筆記されたとしても、この筆記データを消去することができる。また、実施の形態における被記録媒体は、高解像度が可能なインクジェットプリンタによる印刷が可能であり、例えば、アノトパターンのような微小なドットも形成できるようになる。
【０２３４】
また、実施の形態における被記録媒体は、無線ＩＣチップなどの記憶媒体を有することで、所定パターン上に筆記されたデータの画像データと、記憶媒体に記憶された情報とを関連付けさせることができるようになる。
【０２３５】
なお、実施の形態において、筆記装置３００と消去装置６００は別体として記載されているが、同一の筐体内に備えられてもよい。その場合、ＲＦＩＤリーダー、データ転送部、データ記録部、データ処理部は筆記装置と消去装置で共有される。
【０２３６】
また、消去装置６００は、消去部６１０を例えば消しゴムとした場合、消去部６１０を筐体に対して入れ替え可能とする。この場合、消去部６１０以外の構成を消去装置として、消去部６１０の筐体に実装してもよい。
【０２３７】
［実施の形態２］
次に、実施の形態２における情報管理システムについて説明する。実施の形態２における情報管理システムでは、被記録媒体１に書き込まれた履歴を識別するための履歴識別情報を情報処理装置に持たせ、筆記装置から送られてきたデータ毎に履歴識別情報を付与することで、画像データを管理する。履歴識別情報は、例えば履歴番号などである。
【０２３８】
実施の形態２では、実施の形態１で説明した符号と同じ符号を用いて、情報処理装置１００のデータ管理の仕方について説明する。また、実施の形態２では、情報処理装置１００のデータの管理の仕方以外の構成は、実施の形態１と同様であるため、その説明を省略する。
【０２３９】
＜データ例＞
図２３は、実施の形態２における情報処理装置１００の管理手段１１３が管理するデータの例を示す図である。図２３に示す例では、筆記装置３００から固有ＩＤ「ａ」に対応する画像データが再度送信された場合のデータ管理を示す。
【０２４０】
図２３（Ａ）に示す例では、固有ＩＤ「ａ」と固有ＩＤ「ｂ」とに対応するデータ（例えば工程）、履歴（履歴識別情報）、電子データ、座標領域データが管理されている。履歴は、例えば、同じ固有ＩＤが送信されてきた場合に、その順番を示す履歴番号である。
【０２４１】
ここで、図２３（Ａ）に示すデータを情報処理装置１００が管理している状態から、情報処理装置１００は、座標データ（６０，２）と画像データ「ＸＸＸ」とが筆記装置３００から送信されてきたとする。
【０２４２】
図２３（Ｂ）に示す例では、固有ＩＤ「ａ」に対応する電子データに対して、２つの履歴が管理されている。これは、固有ＩＤ「ａ」に対応する座標データと画像データとが筆記装置３００から２回送信されたため、履歴番号「０１」と「０２」とが与えられ、座標データと共に送信された２回の画像データが履歴番号により区別されるからである。
【０２４３】
よって、管理手段１１３は、１つの固有ＩＤに対応する座標データと筆記データの電子データとを複数回取得した場合、履歴識別情報（例えば履歴番号）を筆記データの電子データそれぞれに関連付けて、筆記データの電子データの履歴を管理する。
【０２４４】
＜動作＞
次に、実施の形態２における情報管理システムの動作について説明する。ＲＦＩＤの準備処理、筆記装置の処理、消去装置の処理については、実施の形態１と同様であるため、その説明を省略する。
【０２４５】
（情報処理装置の処理）
図２４は、実施の形態２における情報処理層装置１００の処理の一例を示すフローチャートである。図２４に示すステップＳ７０１〜Ｓ７０４、Ｓ７０７の処理は、図２０に示すステップＳ４０１〜Ｓ４０４、Ｓ４０６の処理と同様であるため、その説明を省略する。
【０２４６】
ステップＳ７０５で、管理手段１１３は、サーチされた座標領域データと、履歴番号とに関連付けて、作業者名の電子データを記憶部（例えば記憶手段１１５）に保存する。記憶部は、管理手段１１３内部又は外部に設けられ、例えば、ＲＡＭなどである。
【０２４７】
ステップＳ７０６で、管理手段１１３は、記憶部に保存されている、サーチされた座標領域データに対応する履歴番号をインクリメントする。これは、次に同じ座標領域データ内の座標データが情報処理装置１００に送信されてきた場合に対応するためである。
【０２４８】
なお、ステップＳ７０６は、電子データの保存後に行われているが、ステップＳ７０５の前に行なわれるようにしてもよい。また、履歴番号のインクリメントは、例えば、記憶部に記憶されている履歴番号を、次のアドレスの履歴番号に進める。
【０２４９】
以上、実施の形態２によれば、情報処理装置１００は、１つの座標領域データに対して複数回電子データが送信された場合、履歴番号を付与してそれぞれの電子データを保存しておくことができる。
【０２５０】
［実施の形態３］
次に、実施の形態３における情報管理システムについて説明する。実施の形態３における情報管理システムでは、筆記装置が、筆記手段と読取部としての機能を有する位置情報取得手段とに分かれた構成となる。
【０２５１】
＜データ入力例＞
実施の形態３では、データ入力の仕方が上記実施の形態とは異なる。図２５は、実施の形態３におけるデータ入力の一例を示す図である。図２５は、図５に示す被記録媒体１付近を拡大した図である。
【０２５２】
図２５に示すように、筆記装置７００は、筆記手段７１０と、位置情報取得手段７２０とに分かれる。筆記手段７１０は、例えばペンであり、位置情報取得手段７２０は、筆記手段７１０の筆記箇所近傍に設置される。
【０２５３】
図２５に示す例では、筆記手段７１０から発生された赤外線と超音波とを、位置情報取得手段７２０が取得する。位置情報取得手段７２０は、取得した赤外線と超音波とを用いて筆記データを読み取る。
【０２５４】
＜筆記装置＞
図２６は、実施の形態３における筆記装置７００の構成の一例を示すブロック図である。実施の形態３における筆記装置７００は、筆記手段７１０と、位置情報取得手段７２０とを有する。なお、筆記装置７００において、上記の各実施の形態と同様のものは、同じ符号を付す。以下では、上記の実施の形態と異なる点を主に説明する。
【０２５５】
（筆記手段）
筆記手段７１０は、ペンダウン検出部３０３、制御部７１１、超音波発生回路７１２、赤外線発生回路７１３を備える。
【０２５６】
ペンダウン検出部３０３は、筆記手段７１０のペン先が被記録媒体１に接触し加圧を受けたことを検出すると、ＯＮ信号を制御部７１１に通知する。ＯＮ信号は、ペンダウンが検出されている間中、制御部７１１に通知される。
【０２５７】
制御部７１１は、ペンダウン検出部３０３からＯＮ信号を受けると、超音波発生回路７１２及び赤外線発生回路７１３に電源電圧を印加し、超音波信号及び赤外線信号を周期的に発生させる。超音波信号及び赤外線信号は、ＯＮ信号が通知されている間発生される。
【０２５８】
一方、制御部７１１は、ペンダウン検出部３０３からＯＮ信号の通知がなくなると、超音波発生回路７１２及び赤外線発生回路７１３への電源電圧の供給を停止し、超音波信号及び赤外線信号の発生を停止させる。ただし、超音波信号及び赤外線信号の発生開始及び停止のタイミングは、必ずしもＯＮ信号の有無と同期させる必要はない。
【０２５９】
これにより、ユーザにより筆記手段７１０を用いて筆記されている間に、筆記手段７１０は、超音波信号及び赤外線信号を発生することになる。
【０２６０】
（位置情報取得手段）
位置情報取得手段７２０は、読取部７２１、読取部３０１、ＲＦＩＤリーダー３０２、データ記録部３０４、データ転送部３０５、転送スイッチ３０６、クリアスイッチ３０７、データ処理部３０８を備える。
【０２６１】
読取部７２１は、赤外線受光部７２２、超音波受信部７２３、赤外線超音波測定部７２４、座標演算部７２５を備える。読取部７２１は、後述するように、筆記時に筆記手段７１０から発生される信号又は光を受信し、受信された信号又は光の変化に基づいて、所定の筆記データを表す電子データを生成する。
【０２６２】
赤外線受光部７２２は、例えばＩｒＤＡ（Ｉｎｆｒａｒｅｄ Ｄａｔａ Ａｓｓｏｃｉａｔｉｏｎ）規格モジュールからなる赤外線センサである。赤外線受光部７２２は、赤外線発生回路７１３から発生された赤外線信号を受信し、赤外線信号を受信した場合に信号を発生する。赤外線受光部７２２は、位置情報取得手段７２０に開口部を設けるなどして、受光する赤外線信号を遮られることなく受信できるようにする。
【０２６３】
超音波受信部７２３は、例えばＰＶＤＦ（Ｐｏｌｙｖｉｎｙｌｉｄｅｎｅ Ｆｌｕｏｒｉｄｅ）を用いる超音波センサである。超音波受信部７２３は、位置情報取得手段７２０の長手方向の左右の端部に２つ設けられる。
【０２６４】
超音波受信部７２３は、超音波発生回路７１２から発生された超音波信号を受信し、超音波信号を受信した場合に信号を発生する。超音波受信部７２３は、位置情報取得手段７２０に開口部を設けるなどして、超音波信号を遮られることなく受信できるようにする。
【０２６５】
赤外線超音波測定部７２４は、赤外線受光部７２２が出力した信号と、超音波受信部７２３が出力した信号との時間差を測定する。つまり、赤外線超音波測定部７２４は、赤外線信号を受信してから超音波信号を受信するまでの各到達時間差を測定する。
【０２６６】
赤外線信号は約３×１０８ｍ／ｓの光速で飛行し、一方で超音波信号は約３．５×１０２ｍ／ｓの音速で飛行する。そのため、超音波信号の筆記手段７１０から超音波受信部７２３までの到達時間に対して、赤外線信号の筆記手段７１０から赤外線受光部７２２までの到達時間は無視できるほど小さい。よって、赤外線超音波測定部７２４は、測定した到達時間差を以て、筆記手段７１０から超音波受信部７２３までの超音波信号の飛行時間とすることができる。
【０２６７】
座標演算部７２５は、赤外線超音波測定部７２４が測定した時間の差から、筆記手段７１０（ペン）の位置を演算し、筆記データを読み取る。例えば、座標演算部７２５は、赤外線超音波測定部７２４において測定した超音波信号の飛行時間を飛行距離に変換し、それらの飛行距離と、２個の超音波受信部７２３の間の既知の距離とを用いて、三辺測量方式により、筆記手段７１０の位置座標データを計算する。計算された位置座標データ（読取データ）は、被記録媒体１の固有ＩＤと関連付けてデータ記録部３０４に記録されてもよい。
【０２６８】
所定パターンは、上述した通り、読取部３０１を用いて取得することができる。また、データ処理部３０８は、読取データの位置座標データから画像データを生成し、その画像データをデータ記録部３０４に記録してもよい。この場合、データ転送部３０５により、データ記録部３０４に記録された画像データが送信される。
【０２６９】
＜動作＞
次に、実施の形態３における情報管理システムの動作について説明する。上記の各実施の形態と異なる処理について説明する。
【０２７０】
（筆記装置の処理）
図２７は、実施の形態３における筆記装置７００の処理の一例を示すフローチャートである。図２７に示すステップＳ８０１〜Ｓ８０２の処理は、図１８に示すステップＳ２０１〜Ｓ２０２の処理と同様であるため、説明を省略する。
【０２７１】
ステップＳ８０３で、読取部７２１は、筆記データを検出したか否かを判定する。読取部７２１は、例えば、赤外線信号や超音波信号を受信したら筆記データを検出と判定する。
【０２７２】
筆記データを検出していれば（ステップＳ８０３−ＹＥＳ）Ｓ８０４に進み、筆記データを検出していなければ（ステップＳ８０３−ＮＯ）ステップＳ８０３に戻る。ステップＳ８０４で、データ記録部３０４は、筆記データの電子データを座標データの次のアドレスに保存する。
【０２７３】
ステップＳ８０５で、データ処理部３０８は、転送スイッチ３０６がＯＮになったか否かを判定する。データ処理部３０８は、転送スイッチ３０６から押下信号を取得した時に転送スイッチ３０６がＯＮになったと判断できる。転送スイッチ３０６がＯＦＦであればステップＳ８０５に戻り、転送スイッチがＯＮになれば（ステップＳ８０５−ＹＥＳ）ステップＳ８０６に進む。
【０２７４】
ステップＳ８０６で、データ転送部３０５は、データ記録部３０４に記録された電子データを座標データと関連付けて情報処理装置１００に送信する。これにより、超音波信号や赤外線信号を用いて筆記データを取得することができる。
【０２７５】
（情報処理装置の情報管理処理）
図２８は、実施の形態３における情報処理装置１００の情報管理処理の一例を示すフローチャートである。図２８に示すステップＳ９０１で、通信手段１１１は、筆記装置７００から読取データを受信したか否かを判定する。読取データが受信されれば（ステップＳ９０１−ＹＥＳ）ステップＳ９０２に進み、読取データが受信されなければ（ステップＳ９０１−ＮＯ）ステップＳ９０１に戻る。
【０２７６】
ステップＳ９０２で、管理手段１１３は、画像データの先頭から決められたバイト数分を読み込む。先頭部分は、固有ＩＤを含む。
【０２７７】
ステップＳ９０３で、管理手段１１３は、自身が管理している固有ＩＤから、受信した固有ＩＤの文字データと一致するものをサーチする。
【０２７８】
ステップＳ９０４で、管理手段１１３は、一致した固有ＩＤがあるか否かを判定する。一致した固有ＩＤがあれば（ステップＳ９０４−ＹＥＳ）ステップＳ９０５に進み、一致した固有ＩＤがなければ（ステップＳ９０４−ＮＯ）ステップＳ９０７に進む。
【０２７９】
ステップＳ９０５で、管理手段１１３は、画像データ生成手段を有し、読取データの位置座標データに基づいて画像データを生成する。画像データの生成は、Ｓ９０２の処理で読み込んでいないデータに対して行われる。なお、画像データの生成は、画像データ生成手段を有する他の情報処理装置が行うようにしてもよい。
【０２８０】
ステップＳ９０６で、管理手段１１３は、一致した固有ＩＤに関連付けて、例えば作業者名の画像データを保存する。
【０２８１】
ステップＳ９０７で、管理手段１１３は、エラー処理を行う。エラー処理は、エラー通知を筆記装置７００に送信し、筆記装置７００は、例えば、ＬＥＤを点灯又は点滅させたり、バイブレーションで振動させたりしてユーザにエラーの旨を知らせる処理である。
【０２８２】
なお、図２８に示す処理では、処理負荷を軽減するため、画像生成処理を、一致したＩＤがあった場合に行っているが、画像生成のタイミングは、データを受信した後から固有ＩＤに関連付けるまでのいずれのタイミングでもよい。
【０２８３】
これにより、情報処理装置１００は、作業者名の電子データが管理されることで作業の終了を管理するとともに、作業者名も管理することもできる。
【０２８４】
以上、実施の形態３によれば、筆記装置をペン等の筆記手段と、読取部の機能を有する位置情報取得手段とに分けた構成にしても、上記の実施の形態同様の効果を奏することができる。
【０２８５】
このように、本発明は、上記実施の形態そのままに限定されるものではなく、実施段階ではその要旨を逸脱しない範囲で構成要素を変形して具体化することができる。また、開示されている複数の構成要素の適宜な組み合わせにより、種々の発明を形成することができる。例えば、実施の形態に示される全構成要素からいくつかの構成要素を削除してもよい。
【符号の説明】
【０２８６】
１  被記録媒体
１０  基質
２０  中間層
３０  受容層
４０  画像形成材料
５０  ＲＦＩＤタグ
６０  所定のパターン
７０  画像
１００  情報処理装置
１１１  通信手段
１１２  文字認識手段
１１３  管理手段
１１４  メール作成手段
１１５  記憶手段
１１６  消去手段
２００  プリンタ
２０１  ＲＦＩＤリーダーライター
３００  筆記装置
３０１  読取部
３０２  ＲＦＩＤリーダーライター
３０３  ペンダウン検出部
３０４  データ記録部
３０５  データ転送部
３０６  転送スイッチ
３０７  クリアスイッチ
３０８  データ処理部
３１０  筆記部
６０１  読取部
６０３  消去部ダウン検出部
６０４  データ記憶部
６０５  データ転送部
６０８  データ処理部
６１０  消去部
７１１  制御部
７１２  超音波発生回路
７１３  赤外線発生回路
７２２  赤外線受光部
７２３  超音波受信部
７２４  赤外線超音波測定部
７２４  座標演算部
【先行技術文献】
【特許文献】
【０２８７】
【特許文献１】特開２００７−２７９８８９号公報
【特許文献２】特開２００２−２７８６９２号公報
【特許文献３】特開２００６−９９５５９号公報
【特許文献４】特開２００２−８２７６４号公報
【図１】
2014102689.tif 000005
【図２】
2014102689.tif 000006
【図３】
2014102689.tif 000007
【図４】
2014102689.tif 000008
【図５】
2014102689.tif 000009
【図６】
2014102689.tif 000010
【図７】
2014102689.tif 000011
【図８】
2014102689.tif 000012
【図９】
2014102689.tif 000013
【図１０】
2014102689.tif 000014
【図１１】
2014102689.tif 000015
【図１２】
2014102689.tif 000016
【図１３】
2014102689.tif 000017
【図１４】
2014102689.tif 000018
【図１５】
2014102689.tif 000019
【図１６】
2014102689.tif 000020
【図１７】
2014102689.tif 000021
【図１８】
2014102689.tif 000022
【図１９】
2014102689.tif 000023
【図２０】
2014102689.tif 000024
【図２１】
2014102689.tif 000025
【図２２】
2014102689.tif 000026
【図２３】
2014102689.tif 000027
【図２４】
2014102689.tif 000028
【図２５】
2014102689.tif 000029
【図２６】
2014102689.tif 000030
【図２７】
2014102689.tif 000031